(57)【要約】【課題】遊技手段の初期位置での支持に係る駆動手段等の負荷を軽減することができる遊技機を提供する。【解決手段】さらに、スライド体４１側にボス６３を、昇降機構４３側に爪７８を有するソレノイド７７を夫々設けており、爪７８をボス６３の下に位置させることで、上昇位置にあるスライド体４１を支持可能とした。したがって、たとえ装飾回転体４２等が設けられて重量のあるスライド体４１であっても、スライド体４１の上昇位置での支持に係りモータ７４にかかる負荷を軽減することができ、モータ７４の長寿命化を図ることができる。【選択図】図４
2018114022.tif 000002
【特許請求の範囲】
【請求項１】
所定の初期位置から下側へスライド若しくは回動することにより演出位置へ達する遊技手段が備えられているとともに、前記遊技手段の動作を制御する制御手段が設けられた遊技機であって、
前記制御手段による制御のもと進出位置と退避位置との間で可動する可動部を有するソレノイドが、前記遊技手段の近傍に設けられており、
前記制御手段は、前記初期位置にある前記遊技手段に対し、前記ソレノイドの前記可動部を前記進出位置に位置させて前記可動部上に前記遊技手段を位置させ、前記可動部により前記遊技手段を前記初期位置で支持させる一方、
前記遊技手段を前記初期位置から前記演出位置へ移動させるに際し、前記遊技手段を一旦反前記演出位置側へ移動させるとともに、前記ソレノイドを作動させて前記可動部を前記退避位置へ位置させた後、前記遊技手段を前記演出位置へ移動させることを特徴とする遊技機。
【発明の詳細な説明】
【技術分野】
【０００１】
本発明は、たとえばパチンコ機等といった遊技機に関するものである。
【背景技術】
【０００２】
従来、遊技機の一例であるパチンコ機には、遊技の進行に連係して適宜作動する種々の遊技手段（所謂、電動役物の可動体）が設けられている。また、そのような遊技手段としては、たとえば演出用表示部よりも上側となる初期位置から、演出表示部の前側となる演出位置へ移動するようなもの（たとえば特許文献１）も考案されている。
【先行技術文献】
【特許文献】
【０００３】
【特許文献１】特開２０１３−２５５５８８号公報
【発明の概要】
【発明が解決しようとする課題】
【０００４】
遊技手段が大型化してくると、遊技手段の初期位置での支持に係り、たとえばモータといった駆動手段等に大きな負荷がかかる。しかしながら、従来の遊技機は、そのような駆動手段の負荷軽減を図る構造を備えていなかった。
【０００５】
そこで、本発明は、上記問題に鑑みなされたものであって、遊技手段の初期位置での支持に係る駆動手段等の負荷を軽減することができる遊技機を提供しようとするものである。
【課題を解決するための手段】
【０００６】
上記目的を達成するために、本発明は、所定の初期位置から下側へスライド若しくは回動することにより演出位置へ達する遊技手段が備えられているとともに、前記遊技手段の動作を制御する制御手段が設けられた遊技機であって、前記制御手段による制御のもと進出位置と退避位置との間で可動する可動部を有するソレノイドが、前記遊技手段の近傍に設けられており、前記制御手段は、前記初期位置にある前記遊技手段に対し、前記ソレノイドの前記可動部を前記進出位置に位置させて前記可動部上に前記遊技手段を位置させ、前記可動部により前記遊技手段を前記初期位置で支持させる一方、前記遊技手段を前記初期位置から前記演出位置へ移動させるに際し、前記遊技手段を一旦反前記演出位置側へ移動させるとともに、前記ソレノイドを作動させて前記可動部を前記退避位置へ位置させた後、前記遊技手段を前記演出位置へ移動させることを特徴とする。
【発明の効果】
【０００７】
本発明によれば、制御手段による制御のもと進出位置と退避位置との間で可動する可動部を有するソレノイドを、遊技手段の近傍に設けた。そして、初期位置にある遊技手段に対し、ソレノイドの可動部を進出位置に位置させて可動部上に遊技手段を位置させ、可動部により遊技手段を初期位置で支持させている。したがって、遊技手段の初期位置での支持に係る駆動手段等の負荷を軽減することができ、駆動手段等の耐久性を向上することができる上、遊技手段の大型化をも図ることができる。
また、遊技手段を初期位置から演出位置へ移動させるに際しては、遊技手段を一旦反演出位置側へ移動させるとともに、ソレノイドを作動させて可動部を退避位置へ位置させた後、遊技手段を演出位置へ移動させる。すなわち、ソレノイドの可動部と遊技手段とを離隔させつつソレノイドを作動させるため、ソレノイド作動時にソレノイドにかかる負荷をも軽減することができる。
【図面の簡単な説明】
【０００８】
【図１】パチンコ機を前面側から示した説明図である。
【図２】遊技盤を前面側から示した説明図である。
【図３】パチンコ機を後面側から示した説明図である。
【図４】スライド体が上昇位置にある電動役物を前面側から示した説明図である。
【図５】スライド体が下降位置にあり、且つ、装飾回転体が回転している電動役物を前面側から示した説明図である。
【図６】分解状態にある電動役物を前側から示した斜視説明図である。
【図７】分解状態にある電動役物を後側から示した斜視説明図である。
【図８】基台ケースと装飾回転体との連係部分の断面を示した説明図である。
【発明を実施するための形態】
【０００９】
以下、本発明の一実施形態となるパチンコ機について、図面にもとづき詳細に説明する。
【００１０】
（パチンコ機の全体的な説明）
図１は、パチンコ機１を前面側から示した説明図である。また、図２は、遊技盤２を前面側から示した説明図である。さらに、図３は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を支持してなる前扉４が、左端縁を軸として片開き可能に機枠３に蝶着されており、該前扉４によって閉塞される遊技盤２の前方空間が遊技領域１６とされている。
【００１１】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の略中央には、「０」〜「９」の数字からなる装飾図柄やキャラクター等を表示するための演出用表示部６が設けられている。さらに、演出用表示部６を囲むように種々の電動役物等（電動役物４０を含む）を備えたセンター部材２６が遊技盤２に設置されており、該センター部材２６の下方には、遊技球が入賞可能で、当該入賞を契機として演出用表示部６及び後述する特別図柄表示部８３で各種図柄が変動を開始する始動入賞口１９と、開閉可能な扉部材を有する大入賞装置１７とが設けられている。また、センター部材２６の左方から下方にかけては、遊技球が流下可能な左打ち用スペースＳＬが形成されており、左打ち用スペースＳＬを流下させることで、効率良く始動入賞口１９へ入賞させ得るようになっている。さらに、センター部材２６の左側部には、左打ち用スペースＳＬを流下させるべく遊技領域１６の上部空間へ打ち込まれた遊技球を、左打ち用スペースＳＬ側へ導くための合成樹脂製の遊技球流路３０が設けられている。
【００１２】
一方、センター部材２６の右方にも遊技球が流下可能な右打ち用スペースＳＲが形成されている。また、該右打ち用スペースＳＲには、入賞口（図示せず）と、入賞口を開閉する可動体（図示せず）とを有しており、可動体が開状態にあると遊技球が入賞口へ入賞可能となる入賞装置２０が設置されている。そして、遊技球を左打ち用スペースＳＬではなく右打ち用スペースＳＲを流下させることにより、入賞装置２０へ入賞させることができる。なお、左打ち用スペースＳＬや右打ち用スペースＳＲには、多数の遊技釘（図示せず）が植設されている。また、大入賞装置１７については、左打ち用スペースＳＬと右打ち用スペースＳＲとの何れを流下させたとしても効率良く入賞し得るようになっている。さらに、遊技領域１６外となる遊技盤２の右下部には、第１特別図柄及び第２特別図柄を夫々別個に表示可能とした特別図柄表示部８３が設けられている。
【００１３】
また、機枠３の前面側であって上記遊技盤２の下方には、発射装置１０へ供給する遊技球を貯留するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させ、遊技球の遊技領域１６への打ち込み強度を調整するためのハンドル９が回動操作可能に設置されている。加えて、供給皿７の前方には、遊技者が任意に押し込み操作可能な遊技ボタン２５が設けられている。
さらに、前扉４の上部には、効果音や各種メッセージ等を報音する夫々一対のスピーカ１４、１４が設けられている。加えて、前扉４の左右両側部には、パチンコ機１の遊技状態等に応じて点灯・点滅する複数のＬＥＤを内蔵したランプ部材１５、１５・・が設けられている。
【００１４】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、遊技に係る主たる制御（たとえば、所謂大当たり抽選等）を実行するためのメイン制御装置（図示せず）、演出用表示部６における表示動作等を制御する表示制御装置（図示せず）、ランプ部材１５の点灯／点滅動作等を制御する発光制御装置（図示せず）、スピーカ１４からの報音動作を制御する音制御装置（図示せず）、及び表示制御装置や音制御装置等の動作を統合的に制御するサブ制御装置（図示せず）等が設置されている。尚、２２は、パチンコ機１をトランスに接続するためのプラグであり、２７は、アースである。
【００１５】
以上のようなパチンコ機１では、遊技者はハンドル９を回動操作して発射装置１０を作動させ、発射通路１３を介して遊技球を遊技領域１６内へ打ち込み、まずは遊技球流路３０を介して左打ち用スペースＳＬへ流下させ（所謂左打ちを行って）、始動入賞口１９への遊技球の入賞を狙う。そして、始動入賞口１９への遊技球の入賞検知に起因して実行される所謂大当たり抽選の結果が「大当たり」になると、特別図柄表示部８３及び演出用表示部６に夫々所定の「大当たり図柄」が確定表示される（たとえば、演出用表示部６に「７、７、７」と確定表示される）。また、「大当たり図柄」が確定表示されると、大入賞装置１７を所定回数にわたって断続的に開成させるといった所謂「大当たり状態」が生起する。そこで、遊技者は左打ちを継続し、断続的に開成する大入賞装置１７への遊技球の入賞を狙う。なお、始動入賞口１９へ遊技球が入賞した場合、特別図柄表示部８３では第１特別図柄を変動／確定表示させる。
【００１６】
また、大当たり状態が終了すると、第１特別図柄及び第２特別図柄の合計の確定表示回数が所定回数に達するまで、入賞装置２０において可動体が頻繁に開状態となって遊技球の入賞を可能とする所謂時短状態が生起する。そこで、遊技者は、遊技球を右打ち用スペースＳＲへ打ち込んで流下させる所謂右打ちを行い、入賞装置２０への遊技球の入賞を狙う。そして、入賞装置２０へ遊技球が入賞すると、上記始動入賞口１９へ遊技球が入賞した場合と同じく大当たり抽選が実行され、該大当たり抽選の結果が「大当たり」になると、特別図柄表示部８３及び演出用表示部６に夫々所定の「大当たり図柄」が確定表示される。また、入賞装置２０への遊技球の入賞に応じて「大当たり図柄」が確定表示されると、上記同様に大入賞装置１７が所定回数にわたって断続的に開成する「大当たり状態」が生起するため、遊技者は右打ちを継続し、断続的に開成する大入賞装置１７への遊技球の入賞を狙う。なお、入賞装置２０へ遊技球が入賞した場合、特別図柄表示部８３では第２特別図柄を変動／確定表示させる。
一方、「大当たり状態」が生起することなく、第１特別図柄及び第２特別図柄の合計の確定表示回数が所定回数に達して時短状態が終了すると、右打ちを止めて左打ちを行う上記遊技へと戻る。
【００１７】
（電動役物４０の説明）
ここで、本発明の要部となる電動役物４０について、図４〜図８にもとづき詳細に説明する。図４は、スライド体４１が上昇位置にある電動役物４０を前面側から示した説明図である。図５は、スライド体４１が下降位置にあり、且つ、装飾回転体４２が回転している電動役物４０を前面側から示した説明図である。図６は、分解状態にある電動役物４０を前側から示した斜視説明図である。図７は、分解状態にある電動役物４０を後側から示した斜視説明図である。図８は、基台ケース４６と装飾回転体４２との連係部分の断面を示した説明図である。
電動役物４０は、上下方向へスライド可能なスライド体４１と、スライド体４１に設けられ、前後方向を軸として回転する装飾回転体４２と、スライド体４１をスライドさせる昇降機構４３とを備えてなり、前側に開口する合成樹脂製の箱体（図示せず）に設置されている。なお、８２は、電動役物４０の後側に配置されて、箱体に固定される装飾部材である。
【００１８】
スライド体４１は、左右方向へ延びる板状の支持バー４５と、支持バー４５の左右方向で略中央部に設置される基台ケース４６と、基台ケース４６に固定される中央装飾板４７と、支持バー４５の昇降機構４３側の端部に設けられるスライド連係部４８とを有してなる。そして、支持バー４５における基台ケース４６の設置位置に対応する位置には、サブ制御装置による制御で駆動し、装飾回転体４２を回転させるためのモータ４９が取り付けられている。なお、８０は、支持バー４５の昇降機構４３側とは反対の端部を案内する補助レールであり、８１は、補助レール８０に案内される被案内部である。
【００１９】
また、基台ケース４６は、前ケース５０と後ケース５１とを一体化してなるもので、その内部には、モータ４９の駆動に応じて回転するギア５２、及びフォトセンサ５３が搭載された制御基板５４等が設置されている。この前ケース５０の前面には、正面視円形の収納凹部５５が設けられている。そして、収納凹部５５の底面（背面）には、収納凹部５５と同心円状の開口５６が開設されており、収納凹部５５と基台ケース４６内とが連通するようになっている。また、この開口５６の周縁には、径方向で開口５６内面側へ突出する複数の摺動突起５７、５７・・が周設されている。さらに、収納凹部５５の周面で、後ケース５１との組み付け時にギア５２に隣接する箇所は切り欠かれて窓５８が設けられており、当該窓５８においても収納凹部５５と基台ケース４６内とが連通するようになっている。一方、後ケース５１の表面で、前ケース５０との組み付け時に収納凹部５５や開口５６の中心と対応する位置には、収納凹部５５内まで前方へ突出する固定用突起５９が設けられている。
【００２０】
さらに、中央装飾板４７は、前面が装飾面とされた板状の本体６０と、本体６０後面から後方へ突出する棒状のピン６１とを有してなるものであって、ピン６１を固定用突起５９へ差し込むことにより、本体６０が基台ケース４６から前方へ浮いた状態で、基台ケース４６に取付可能となっている。また、本体６０の表面は、略全面にわたり透光性を有する透光部とされている。
加えて、スライド連係部４８は、昇降機構４３を構成する案内レール７６に案内される上下方向へ長い被案内部６２を有しており、当該被案内部６２の前面上端部には、ボス６３が前方へ突設されていれる。また、被案内部６２には、昇降機構４３のギア機構部７５に噛合するラック部７９が設けられている。
【００２１】
一方、装飾回転体４２は、筒状に形成された回転本体６４を有してなる。回転本体６４の前後方向での長さは、基台ケース４６の前面と中央装飾板４７の本体６０との間の距離と略同じとされており、基台ケース４６と中央装飾板４７との間で前後方向を軸として回転可能となっている。また、回転本体６４は、前後方向での略中央部分に仕切り板７２が設けられて前後に仕切られており、仕切り板７２よりも前側の空間には、複数のＬＥＤが搭載された発光基板６５が収納されている。また、仕切り板７２よりも後側の空間には、回路基板（図示せず）、及びスリップリング６６が収納されている。そして、スリップリング６６の後面を押さえつけつつ、後側の空間を塞ぐように後カバー６７がネジ止めされている。この後カバー６７の後面には、回転中心を中心としてギア部７０が周設されている。当該ギア部７０の径は、収納凹部５５よりも小径、且つ、開口５６よりも大径となっており、装飾回転体４２を後述の如く基台ケース４６の前側に組み付けると、ギア部７０は収納凹部５５内に収納され、その一部が窓５８を介して露出し、基台ケース４６内にあるギア５２と噛合するようになっている。また、後カバー６７には、前後に開口する円筒部７１がギア部７０よりも後側へと突設されている。この円筒部７１は、ギア部７０同様に回転中心を中心として成形されており、その径は、ギア部７０よりも小径で、開口５６と略同じとされている。また、円筒部７１の先端（後端）には、切り欠き部７３が設けられている。そして、装飾回転体４２を基台ケース４６の前側に組み付けると、円筒部７１は、その周面に摺動突起５７、５７・・が当接した状態で、開口５６を介して基台ケース４６内へ進入するようになっている。またその際、基台ケース４６内において、円筒部７１の先端（切り欠き部７３を含む）が、フォトセンサ５３の受光素子と発光素子とにより径方向で挟まれている。
【００２２】
なお、回転本体６４の回転中心には、ピン６１を挿通させるための貫通部６８が仕切り板の前後にわたって設けられている。また、回転本体６４の周面には、一対の装飾部６９、６９が一体的に設けられている。さらに、スリップリング６６の四隅には位置決め孔６６ａ、６６ａ・・が開設されている。そして、スリップリング６６は、仕切り板７２側から突出する位置決め用ボス（図示せず）が位置決め孔６６ａ、６６ａ・・に差し込まれた状態で、上記後カバー６７により後面側から押さえつけられて取り付けられる。
【００２３】
また、昇降機構４３は、サブ制御装置による制御のもと駆動し、スライド体４１を上下動させるためのモータ７４、モータ７４の回転をスライド体４１側へ伝えるギア機構部７５、スライド体４１の上下動を案内する案内レール７６、及びソレノイド７７等を有している。ソレノイド７７は、モータ７４等の上側で、スライド連係部４８のボス６３に対応する位置において略水平姿勢とされており、サブ制御装置による制御のもと、爪７８が本体からボス６３側（スライド体４１側）へ突出する第１状態と、本体内へ埋入する第２状態とで状態変化するようになっている。また、爪７８の上面は、略水平面とされている一方、爪７８の下面７８ａは、先へ向かって徐々に上方へ傾斜する傾斜面とされている。
【００２４】
ここで、電動役物４０における上記構成同士の連係について説明すると、まず正面から見て左側に昇降機構４３が配置されている。そして、この昇降機構４３の右側にスライド体４１が位置して、スライド体４１のラック部７９と昇降機構４３のギア機構部７５とが噛合した状態となっており、昇降機構４３のモータ７４の駆動に応じて、スライド体４１が上下動することになる。ただ、図４に示すように、スライド体４１が上昇位置にあると、ソレノイド７７の爪７８上にスライド体４１のボス６３が位置し、爪７８によりスライド体４１が下側から支持された格好となっている。そこで、スライド体４１を下降させる際には、一旦スライド体４１を僅かに持ち上げ（反演出位置側となる上方へ移動させ）、ソレノイド７７を作動させて上記第２状態とした後、スライド体４１を下降させることになる。なお、スライド体４１を上昇位置へ復帰させる際には、ソレノイド７７を作動させず、ただスライド体４１を上昇位置まで上昇させればよい。途中でボス６３が爪７８の下面７８ａに干渉するものの、爪７８の下面７８ａは上述したような傾斜面となっているため、下面７８ａ上をボス６３が相対的に移動する格好で爪７８は本体内へ押し込められる。そして、ボス６３が爪７８よりも上側へ達すると、爪７８は自動的に突出して、ボス６３の下側に位置することになる。
【００２５】
一方、スライド体４１の前面中央部分に、基台ケース４６がネジ止めされ、スライド体４１に設けられたモータ４９が基台ケース４６内のギア５２に連結されている。また、基台ケース４６の開口５６内に円筒部７１が挿通され、且つ、基台ケース４６の収納凹部５５内にギア部７０が収納された格好で、基台ケース４６の前側に装飾回転体４２が配置されている。さらに、装飾回転体４２の回転中心（貫通部６８及び円筒部７１内）と前ケース５０（収納凹部５５及び開口５６内）とを貫通させるようにして、中央装飾板４７のピン６１が基台ケース４６内へ差し込まれて固定用突起５９に固定されることで、装飾回転体４２の前側に中央装飾板４７の本体６０が位置している。したがって、装飾回転体４２は、基台ケース４６と中央装飾板４７との間で、基台ケース４６及び中央装飾板４７に対して回転自在に取り付けられることになる。
【００２６】
そして、基台ケース４６の前側に装飾回転体４２が配置された状態にあっては、基台ケース４６の窓５８を介してギア５２とギア部７０とが噛合しており、モータ４９が駆動すると、図５に示すように、装飾回転体４２がギア部７０の中心を回転中心として回転することになる。また、回転時には、円筒部７１の周面が摺動突起５７、５７・・により支持される格好となるため、装飾回転体４２の回転は安定したものとなる。さらに、図８に示すように、装飾回転体４２の回転姿勢が初期姿勢である場合には、円筒部７１の切り欠き部７３がフォトセンサ５３の受光素子と発光素子との間に位置している。また、装飾回転体４２が初期姿勢から回転すると、円筒部７１の先端が受光素子と発光素子との間に位置することになる。したがって、サブ制御装置では、フォトセンサ５３により、装飾回転体４２が初期姿勢にあるか否かを判別することができる。
【００２７】
そして、各構成同士が上述の如く連係する電動役物４０では、通常、スライド体４１及び装飾回転体４２が演出用表示部６よりも上方となる上昇位置（初期位置）にある。そして、たとえば演出用表示部６において所定の表示演出が実行される等すると、スライド体４１及び装飾回転体４２が演出用表示部６の前方となる下降位置（演出位置）まで下降するとともに、当該下降位置において装飾回転体４２が回転する。また、回転時には、装飾回転体４２内の発光基板６５においてＬＥＤが発光することにより、中央装飾板４７の本体６０が全体的に発光する。
【００２８】
（本実施形態のパチンコ機による効果）
以上のような構成を有するパチンコ機１によれば、基台ケース４６の前面に、装飾回転体４２の回転中心を中心とした円形の開口５６が開設されているとともに、開口５６縁に沿って、径方向で開口５６内側へ突出する複数の摺動突起５７、５７・・が設けられている一方、装飾回転体４２の後カバー６７に、回転中心を中心とした円筒状で、且つ、先端が開放された円筒部７１が設けられており、円筒部７１が、その周面と摺動突起５７、５７・・とが当接した状態で、開口５６を介して基台ケース４６内へ進入している。さらに、円筒部７１の先端に切り欠き部７３が設けられている一方、基台ケース４６内に、受光素子と発光素子とが円筒部７１の先端を挟むようにフォトセンサ５３が設けられており、サブ制御装置は、切り欠き部７３がフォトセンサ５３の受光素子と発光素子との間に位置するか否かで装飾回転体４２の回転姿勢を判別するようになっている。このように、装飾回転体４２の回転の安定を図るための構成要素でもある円筒部７１を利用して、装飾回転体４２の回転姿勢の判別をも行う。したがって、電動役物４０の構造が合理化されて、従来よりも簡易な構造とすることができる。
【００２９】
また、円筒部７１を、装飾回転体４２に内蔵されるスリップリング６６の後面を押さえつけつつ、回転本体６０の仕切り板７２よりも後側の空間を塞ぐように設けられる後カバー６７に設けており、さらに、当該後カバー６７には、モータ４９の駆動を伝えるためのギア部７０をも設けている。したがって、電動役物４０の構造を一層合理化することができ、従来よりも極めて簡易な構造とすることができる。
【００３０】
さらに、スライド体４１側にボス６３を、昇降機構４３側に爪７８を有するソレノイド７７を夫々設けており、爪７８をボス６３の下に位置させることで、上昇位置にあるスライド体４１を支持可能としている。したがって、たとえ装飾回転体４２等が設けられて重量のあるスライド体４１であっても、スライド体４１の上昇位置での支持に係りモータ７４にかかる負荷を軽減することができ、モータ７４の長寿命化を図ることができる。
【００３１】
加えて、スライド体４１を下降させる際には、一旦スライド体４１を僅かに持ち上げた後、ソレノイド７７を作動させて上記第２状態とし、それからスライド体４１を下降させる。すなわち、爪７８とスライド体４１との接触状態を維持したままソレノイド７７を作動させることはないため、ソレノイド７７の作動時にソレノイド７７にかかる負荷をも軽減することができる。
【００３２】
（本発明の変更例について）
なお、本発明の遊技機に係る構成は、上記実施形態に何ら限定されるものではなく、遊技機全体の構成は勿論、遊技手段に係る構成についても、本発明の趣旨を逸脱しない範囲で必要に応じて適宜変更可能である。
【００３３】
たとえば上記実施形態では、上下方向へのスライドにより遊技手段が初期位置から演出位置へ達するとしているが、スライドではなく、前後方向を軸とした下側への回動により遊技手段が初期位置から演出位置へ達するように構成することも可能である。
また、１つの遊技機に複数の遊技手段を設けてもよいし、遊技手段の設置位置に関しても遊技領域外等が考えられ、遊技手段の位置や個数は適宜変更設計可能である。
【００３４】
加えて、上記実施形態では、遊技機の一例であるパチンコ機について説明しているが、本発明は、たとえばスロットマシーンや封入式パチンコ機等といった他の遊技機に対しても当然適用可能である。
なお、特許請求の範囲、明細書および図面に記載される全ての要素（例えば、遊技手段、制御手段、ソレノイド、可動部等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、前記全ての要素のうちの複数の要素を適宜一体的に構成するか、もしくはひとつの要素を複数の要素に分けて構成するかは、敢えて特許請求の範囲等において特定していない限り、何れも当業者であれば極めて容易に考えられる事項であるため、あえて明細書等において全パターンを記載しなくても何れのパターンも想定範囲内であることは明らかであることから、本発明に係る権利範囲に含まれることは勿論である。したがって、その程度の範囲内での構成上の差異を有する遊技機を、本実施例に記載がなされていないことを理由に採用することのみでは、本発明に係る権利を回避したことにはならない。その他、各要素の構成や形状等における、本実施例から当業者であれば容易に考えられる自明な範囲の差異についても同様である。
【符号の説明】
【００３５】
１・・パチンコ機（遊技機）、４０・・電動役物、４１・・スライド体（遊技手段）、４２・・装飾回転体、４３・・昇降機構、６３・・ボス（被係止部）、７４・・モータ（駆動手段）、７７・・ソレノイド、７８・・係止爪（可動部、係止部）。
【図１】
2018114022.tif 000003
【図２】
2018114022.tif 000004
【図３】
2018114022.tif 000005
【図４】
2018114022.tif 000006
【図５】
2018114022.tif 000007
【図６】
2018114022.tif 000008
【図７】
2018114022.tif 000009
【図８】
2018114022.tif 000010